(57)【要約】【課題】  薄型で収納に適し、且つ簡単な構造で組立てが容易である、安価なスリーブフィルム用フィルムホルダを提供する。【解決手段】  複数のコマが連なった写真フィルム(40)を挟持するフィルムホルダは、写真フィルムの画像領域に対応した開口部(12)を有するホルダ本体(10)と、写真フィルムの画像領域に対応した開口部(22)を有するフィルム押え部材(20)と、ホルダ本体とフィルム押え部材とを回動自在に結合するヒンジ部(30)とを備える。ホルダ本体とフィルム押え部材とヒンジ部とは、樹脂により一体成形され、ホルダ本体の内面とフィルム押え部材の内面の少なくとも一方に、写真フィルムを収容するため、内面(18)から段差のついた矩形部(13)が設けられ、ホルダ本体とフィルム押え部材の間に、写真フィルムを挟持した状態を維持するロック手段を備える。【選択図】      図１
0003105065.tif 000002
【実用新案登録請求の範囲】
【請求項１】
複数のコマが連なった写真フィルムを挟持するフィルムホルダであって、
写真フィルムの画像領域に対応した開口部を有するホルダ本体と、
写真フィルムの画像領域に対応した開口部を有するフィルム押え部材と、
前記ホルダ本体と、前記フィルム押え部材とを、回動自在に結合するヒンジ部とを備え、
前記ホルダ本体と前記フィルム押え部材と前記ヒンジ部とは、樹脂により一体成形され、
前記ホルダ本体の内面と前記フィルム押え部材の内面の少なくとも一方に、前記写真フィルムを収容するため、前記内面から１段低くなった矩形部が設けられ、
前記ホルダ本体と前記フィルム押え部材の間に前記写真フィルムを挟持した状態を維持するため、前記ホルダ本体と前記フィルム押え部材の何れか一方に形成されたボスと、他方に形成され、前記ボスが係合する形状の孔とで構成されたロック手段を備えることを特徴とするフィルムホルダ。
【請求項２】
前記ホルダ本体の前記内面の外縁に沿って前記内面より１段高いリブを有し、前記写真フィルムを挟持した状態で、前記フィルム押え部材は前記リブの内側に入り、前記フィルム押え部材の外面と、前記リブの上面とはほぼ同一平面になる請求項１に記載のフィルムホルダ。
【請求項３】
前記ヒンジ部が複数箇所に設けられている請求項１又は２に記載のフィルムホルダ。
【請求項４】
前記ヒンジ部は１箇所に設けられ、フィルムホルダの一端部の近くから他端部の近くまで延びている請求項１又は２に記載のフィルムホルダ。
【請求項５】
前記ホルダ本体の内面と前記フィルム押え部材の両方に、前記写真フィルムを収容するため、前記内面から１段低くなった矩形部が設けられ、前記ホルダ本体の前記矩形部の深さと前記フィルム押え部材の前記矩形部の深さとの合計は、前記写真フィルムの厚さとほぼ等しい請求項１乃至４の何れか１項に記載のフィルムホルダ。
【請求項６】
前記ホルダ本体と前記フィルム押え部材の何れか一方の縁部に、前記ホルダ本体と前記フィルム押え部材とを開くための凹部が設けられた請求項１乃至５の何れか１項に記載のフィルムホルダ。
【請求項７】
前記開口部は、写真フィルムの複数の画像領域が入る大きさである請求項１乃至６の何れか１項に記載のフィルムホルダ。
【請求項８】
前記ホルダ本体と前記フィルム押え部材の少なくとも一方の外面は、マット仕上げされている請求項１乃至７の何れか１項に記載のフィルムホルダ。
【請求項９】
複数のコマが連なった写真フィルムを挟持するフィルムホルダであって、
写真フィルムの画像領域に対応した開口部を有するホルダ本体と、
写真フィルムの画像領域に対応した開口部を有するフィルム押え部材と、
前記ホルダ本体と、前記フィルム押え部材とを、回動自在に結合する複数のヒンジ部とを備え、
前記ホルダ本体と前記フィルム押え部材と前記ヒンジ部とは、樹脂により一体成形され、
前記ホルダ本体の内面と前記フィルム押え部材の内面の少なくとも一方に、前記写真フィルムを収容するため、前記内面から１段低くなった矩形部が設けられ、
前記ホルダ本体と前記フィルム押え部材の間に前記写真フィルムを挟持した状態を維持するため、前記ホルダ本体と前記フィルム押え部材の何れか一方に形成されたボスと、他方に形成され、前記ボスが係合する形状の孔とで構成されたロック手段を備え、
前記ホルダ本体の前記内面の外縁に沿って前記内面より１段高いリブを有し、前記写真フィルムを挟持した状態で、前記フィルム押え部材は前記リブの内側に入り、前記フィルム押え部材の外面と、前記リブの上面とはほぼ同一平面になり、
前記ホルダ本体と前記フィルム押え部材の何れか一方の縁部に、前記ホルダ本体と前記フィルム押え部材とを開くための凹部が設けられたことを特徴とするフィルムホルダ。
【考案の詳細な説明】
【技術分野】
【０００１】
本考案は、写真フィルムを挟持するフィルムホルダに関し、特に複数コマをつなげて切断されたスリーブフィルムを挟持するフィルムホルダに関する。
【背景技術】
【０００２】
ネガフィルムやリバーサルフィルム等の写真フィルムは、現像後、例えば６コマ単位で切断され、スリーブフィルムとされる。この写真フィルムの画像を投影機で投影する際や、フィルムスキャナで読取る際には、写真フィルムの反り（フィルム幅方向の湾曲）や、カール（フィルム長手方向の湾曲）を取り除くため、フィルムホルダで挟持される。
【０００３】
特許文献１は、ホルダ本体と、フィルム押え部材とを有し、これらにより６コマ分の写真フィルムを把持するフィルムホルダを開示する。このフィルムホルダは、弾性を有するフィルム押え部材によりフィルムを確実に挟持しようとするものである。しかし、このフィルムホルダは、ホルダ本体を剛性のある材料で作成し、フィルム押え部材を弾性のある別の材料で作成する。また、例えばピンとピンが挿入される孔とからなるヒンジ構造により、本体とフィルム押え部材とを回動可能に連結する必要がある。
このフィルムホルダは、投影機で投影するときに使用するものであり、板厚が厚い。スリーブフィルムをフィルムホルダに入れたまま収納するためのものではない。また、２種類の材料を使用するため材料費が高く、２つの部品を組立てる手間もかかり、その結果製造コストが高くなる。
従来は、投影機で投影するときだけでなく、スリーブフィルムをフィルムホルダに入れたまま収納することを前提とした薄く安価なフィルムホルダはなかった。
【０００４】
【特許文献１】特開平１１−５２５３７号
【考案の開示】
【考案が解決しようとする課題】
【０００５】
本考案の目的は、薄型で収納に適し、且つ簡単な構造で、組立てが容易である、安価なスリーブフィルム用フィルムホルダを提供することである。
【課題を解決するための手段】
【０００６】
かかる目的を達成するため、本考案による複数のコマが連なった写真フィルムを挟持するフィルムホルダは、
写真フィルムの画像領域に対応した開口部を有するホルダ本体と、
写真フィルムの画像領域に対応した開口部を有するフィルム押え部材と、
前記ホルダ本体と、前記フィルム押え部材とを、回動自在に結合するヒンジ部とを備える。
前記ホルダ本体と前記フィルム押え部材と前記ヒンジ部とは、樹脂により一体成形されている。
前記ホルダ本体の内面と前記フィルム押え部材の内面の少なくとも一方に、前記写真フィルムを収容するため、前記内面から１段低くなった矩形部が設けられている。
【０００７】
前記ホルダ本体と前記フィルム押え部材の間に、前記写真フィルムを挟持した状態を維持するため、前記ホルダ本体と前記フィルム押え部材の何れか一方に形成されたボスと、他方に形成され、前記ボスが係合する形状の孔とで構成されたロック手段を備える。
これにより、簡単な構造により、ホルダ本体とフィルム押え部材とを確実に固定することができる。
【０００８】
前記ホルダ本体の前記内面の外縁に沿って前記内面より１段高いリブを有し、前記写真フィルムを挟持した状態で、前記フィルム押え部材は前記リブの内側に入り、前記フィルム押え部材の外面と、前記リブの上面とはほぼ同一平面になるようにすることができる。
これにより、フィルムホルダを薄型化することが出来る。
【０００９】
前記ヒンジ部が複数箇所に設けられていてもよい。前記ヒンジ部は１箇所に設けられ、一端部の近くから他端部の近くまで延びていてもよい。
これにより、ホルダ本体とフィルム押え部材とを確実に回動可能に結合することができる。
【００１０】
前記ホルダ本体の内面と前記フィルム押え部材の両方に、前記写真フィルムを収容するため、前記内面から１段低くなった矩形部が設けられ、前記ホルダ本体の前記矩形部の深さと前記フィルム押え部材の前記矩形部の深さの合計は、前記写真フィルムの厚さとほぼ等しくなるようにすることができる。
【００１１】
前記ホルダ本体と前記フィルム押え部材の何れか一方の縁部に、前記ホルダ本体と前記フィルム押え部材とを開くための凹部が設けられていてもよい。
これにより、凹部に指をかけて、容易にホルダ本体とフィルム押え部材とを開くことができる。
【００１２】
前記開口部は、写真フィルムの複数の画像領域が入る大きさであってもよい。これにより、より簡単な構造とすることができる。また、パノラマ写真のような長さの長い画像を１つの開口部な内に表示することができる。
【００１３】
前記ホルダ本体と前記フィルム押え部材の少なくとも一方の外面は、マット仕上げされていてもよい。
これにより、マット仕上げされた面に鉛筆を使用して撮影情報等を記入することができる。
【考案の効果】
【００１４】
本考案によれば、ホルダ本体とフィルム押え部材とヒンジ部を樹脂により一体成形したので、安価なフィルムホルダを提供することができる。ヒンジ部を軸としてフィルムホルダの２つの部分を回動可能にし、写真フィルムを矩形部に収容した状態で、ボスと孔とを係合させることにより、容易に写真フィルムを所定位置に挟持することができるので、組立てが容易である。また、本考案のフィルムホルダは薄型で積重ねて収納するのに適している。
【考案を実施するための最良の形態】
【００１５】
以下、図１〜図６を参照して、本考案による実施の形態のフィルムホルダを説明する。図１は、本考案の実施の形態によるフィルムホルダの開いた状態の平面図である。図２は、図１のフィルムホルダの２−２線に沿った断面図である。
【００１６】
本考案の実施の形態によるフィルムホルダ1は、ホルダ本体10と、フィルム押え部材20とが、ヒンジ部30で折り曲げ可能に結合されている。ホルダ本体10と、フィルム押え部材20とヒンジ部30とは、ポリプロピレン等のリサイクル可能なプラスチックで一体成型されている。この実施の形態では、ホルダ本体10とフィルム押え部材20とは、矩形の平板状であり、複数コマ（この例では６コマのスリーブフィルム）の３５ｍｍフィルムを挟持するだけの長さがある。
【００１７】
ホルダ本体10には、写真フィルムの各画像領域のコマが覗けるように、写真フィルムの撮影コマの間隔に等しい間隔で５個の仕切り壁11を形成することにより、６個の矩形の開口部12が設けられている。フィルム押え部材20には、仕切り壁11と対応する位置に等間隔に５個の仕切り壁21を形成することにより、開口部12と対応する位置に６個の開口部22が設けられている。開口部12,22は、撮影した写真フィルムの各コマの大きさよりわずかに大きいことが好ましいが、これに限定されない。また、開口部12,22の数は、６個に限定されるものではない。
【００１８】
本明細書において、ホルダ本体10の内面18とは写真フィルムを挟持する面をいい、外面17とは写真フィルムを挟持した状態で外側になる面をいう。また、フィルム押え部材20の内面28とは写真フィルムを挟持する面をいい、外面27とは写真フィルムを挟持した状態で外側になる面をいう。
ホルダ本体10の写真フィルムを挟持する内面18には、写真フィルムを収容するため、内面18より１段低い矩形部13が形成されている。矩形部13の底面は平面であり、矩形部13のの幅は収容する写真フィルムの幅よりわずかに大きく、長さは６こま分の写真フィルムの長さよりわずかに大きく、深さは収容する写真フィルムの厚さにほぼ等しい。矩形部13の底面はほぼ平面である。
【００１９】
本実施の形態では、フィルム押え部材20にはフィルムを収容するための矩形部は設けられていない。しかし、ホルダ本体10とフィルム押え部材20の両方に写真フィルムを収容するための矩形部を設け、２つの矩形部の深さの和が写真フィルムの厚さのほぼ等しくなるようにし、両方の矩形部の間に写真フィルムを挟むようにしてもよい。又は、ホルダ本体10にはフィルムを収容するための矩形部を設けず、フィルム押え部材20のみにフィルムを収容するための矩形部を設けてもよい。
【００２０】
本実施の形態では、フィルムを収容するための矩形部の深さは、収容する写真フィルムの厚さにほぼ等しくしたが、写真フィルムの両面に透明保護フィルムを重ねて収容する場合もある。この場合の矩形部の深さは、写真フィルムの厚さに両面の保護フィルムの厚さを加えた厚さにほぼ等しくすることができる。
【００２１】
ホルダ本体10のフィルムを収容する内面18には、ほぼ円柱状のボス14が設けられている。ボス14はホルダ本体10のヒンジ部30に近い側と遠い側の長手方向に沿って、数箇所に設けられている。ボス14の間隔は等間隔でなくてもよい。フィルム押え部材20には、ボス14に対応する位置にボス14を嵌め込むことができる形状の孔24が形成されている。本実施の形態では、孔24は貫通孔としたが、ボス14を挿入できるものであれば、孔は貫通していなくてもよい。フィルムホルダを閉じたとき、各ボス14が対応する孔24に挿入されて、フィルムホルダを閉じた状態に保持することができる。
本実施の形態では、ホルダ本体10にボス14を設け、フィルム押え部材20に孔24を設けたが、これとは逆に、ホルダ本体10に孔を設け、フィルム押え部材20にボスを設けることもできる。
【００２２】
ホルダ本体10の内面18のヒンジ部30から遠い側の縁部と、長手方向の両端部には、内面18より１段高いリブ15が形成され、ホルダ本体10の内面18はその外周をリブ15により囲まれている。リブ15の内側にフィルム押え部材20が挿入されて、フィルムホルダに写真フィルム40を挟持した状態では、リブ15の上面とフィルム押え部材20の外面は、ほぼ同一平面となる。
本実施の形態では、内面18の３方をリブ15により取り囲む構成とした。しかし、ホルダ本体10の内面18のヒンジ部30に近い側の縁部にも、リブ15を設けてもよい。
【００２３】
フィルム押え部材20のヒンジ部30から遠い側の一部は、外周が内側にへこんだ凹部26が形成されている。凹部26に爪をかけて、フィルム押え部材20を開き、フィルム40を取り外すことができるようになっている。
【００２４】
ホルダ本体10と、フィルム押え部材20とは、ヒンジ部30で折り曲げ可能に結合されている。図2に示すように、ヒンジ部30は、断面が３角形で、ホルダ本体10につながる縁部と、フィルム押え部材20につながる縁部とが薄肉になり、両縁部の間は肉厚が厚くなっている。
本実施の形態では、ヒンジ部30は、長手方向両端部の近くの２箇所に設けられている。ヒンジ部30の箇所数は、２ヶ所に限らず、３箇所以上とすることができる。または、１箇所のみとすることもできる。ヒンジ部30が１箇所のみの場合は、一端部近くから他端部近くまで連続する長いヒンジ部30とすることもできる。
【００２５】
ホルダ本体10の外面17は、一部がマット仕上げになっていて、ここに鉛筆で撮影情報等を記入することができる。また、フィルム押え部材20の外面27は、一部がマット仕上げになっていて、ここに鉛筆で撮影情報等を記入することができる。外面の全面をマット仕上げとすることもできる。また、ホルダ本体10とフィルム押え部材20の何れか一方の表面のみをマット仕上げとすることもできる。
【００２６】
図３は、図１のフィルムホルダをヒンジ部30で折り曲げ、閉じかけた状態の斜視図である。
図４は、図１のフィルムホルダを閉じた状態の平面図である。図５は、写真フィルム40を挟んだ状態での、図４の５−５線に沿った拡大断面図である。
図４、５に示すように、フィルムホルダを閉じた状態では、ホルダ本体10のボス14がフィルム押え部材20の孔24に入り固定されている。フィルム押え部材20はリブ15の内側に入り、リブ15の上面とフィルム押え部材20の外面27は、ほぼ同一平面となっている。
【００２７】
図６は、図４の６−６線に沿ったヒンジ部近くの拡大断面図である。２箇所の薄肉の部分でヒンジ部30は折れ曲がり、フィルム押え部材20はホルダ本体10上に重なっている。ヒンジ部30の中央の肉厚部が入るように、ホルダ本体10のヒンジ部30につながる部分には斜面部19が形成され、フィルム押え部材20のヒンジ部30につながる部分には斜面部29が形成されている。フィルムを挟持した状態で、ヒンジ部30の中央の肉厚部は、フィルム押え部材20の斜面部とホルダ本体10の斜面部19,29により形成されるへこんだ部分に入る。
【００２８】
図７は、写真フィルムを挟んだ状態を示す一部を切欠いた状態の平面図である。写真フィルム40は、矩形部13内に収容され、開口部12,22を通して画像領域を見ることができる。
【００２９】
このように構成されたフィルムホルダ1に写真フィルム40を挟み込むには、６コマづつ切断された写真フィルム40をホルダ本体10の矩形部13に落とし込む。写真フィルム40のコマとコマの間が仕切り壁11の位置と合うように、即ち画像領域が開口部から覗けるように位置合わせする。次に、図３に示すように、ヒンジ部30を軸として、フィルム押え部材20を回動させる。ホルダ本体10とフィルム押え部材20が閉じるように外側から押えると、フィルム押え部材20はホルダ本体10のリブ15の内側に入り、ホルダ本体10のボス14がフィルム押え部材20の孔24に圧入され、ホルダ本体10とフィルム押え部材20とは、容易に離れない状態で閉じられる。
【００３０】
図７に示すように、写真フィルム40は、ホルダ本体10の矩形部13に入り、その底面とフィルム押え部材20の内面28の間に挟まれて固定される。写真フィルム40の幅は、矩形部13の幅よりわずかに小さく、写真フィルム40を矩形部13に落し込むことができる。
図５に示すように、写真フィルム40を挟持した状態のフィルムホルダ1は、薄型で外面17,27は平面で、出っ張る部分がないので、複数のフィルムホルダ1を積重ねて保管するのに適している。
【００３１】
フィルム40を取り外すには、凹部26に指をかけて、フィルム押え部材20を引くと、ボス14は孔24から外れ、ホルダ本体10とフィルム押え部材20を開くことが出来、容易に写真フィルム40を取り外すことができる。写真フィルム40を取り外した後、再度他の写真フィルムを挟み込むことができる。
【図面の簡単な説明】
【００３２】
【図１】本考案の実施の形態によるフィルムホルダの開いた状態の平面図。
【図２】図１のフィルムホルダの２−２線に沿った断面図。
【図３】図１のフィルムホルダを閉じかけた状態の斜視図。
【図４】図１のフィルムホルダを閉じた状態の平面図。
【図５】写真フィルムを挟んだ状態の図４の５−５線に沿った拡大断面図。
【図６】写真フィルムを挟んだ状態の図４の６−６線に沿ったヒンジ部近くの拡大断面図。
【図７】写真フィルムを挟んでフィルムホルダを閉じた状態を示す一部を切欠いた状態の平面図。
【符号の説明】
【００３３】
1  フィルムホルダ
10  ホルダ本体
11  仕切り壁
12  開口部
13  矩形部
14  ボス
15  リブ
17  外面
18  内面
19  斜面部
20  フィルム押え部材
21  仕切り壁
22  開口部
24  孔
26  凹部
27  外面
28  内面
29  斜面部
30  ヒンジ部
40  写真フィルム
【図１】
0003105065.tif 000003
【図２】
0003105065.tif 000004
【図３】
0003105065.tif 000005
【図４】
0003105065.tif 000006
【図５】
0003105065.tif 000007
【図６】
0003105065.tif 000008
【図７】
0003105065.tif 000009